(57)【要約】【課題】使用状況に応じた適切な情報通知を行う。【解決手段】スマートフォン１００は、第１通信部１３３と、ログ取得部１１１と、判定部１１２と、情報通知部１１３と、表示部１３１と、を備える。第１通信部１３３は、時刻表示装置と無線通信する。ログ取得部１１１は、第１通信部１３３により時刻表示装置からログデータを取得する。判定部１１２は、ログ取得部１１１が取得したログデータに基づいて時刻表示装置の使用状況を判定する。情報通知部１１３は、判定部１１２が判定した使用状況に応じた情報を表示部１３１から通知する。【選択図】図２
2020074633.tif 000002
【特許請求の範囲】
【請求項１】
時刻表示装置と無線通信する通信部と、表示部と、を備える情報通知装置の情報通知方法であって、
前記通信部により前記時刻表示装置から前記時刻表示装置のログデータを取得するログ取得ステップと、
前記ログ取得ステップで取得したログデータに基づいて前記時刻表示装置の使用状況を判定する判定ステップと、
前記判定ステップで判定した前記時刻表示装置の使用状況に応じた情報を前記表示部から通知する通知ステップと、
を含むことを特徴とする情報通知方法。
【請求項２】
前記判定ステップで、状況判定基準期間中継続して前記時刻表示装置の電池の電圧が電圧基準値未満であるか否かを判定し、
前記状況判定基準期間中継続して前記時刻表示装置の電池の電圧が前記電圧基準値未満である場合に、前記通知ステップで、第１の通知を前記表示部から通知する、
ことを特徴とする請求項１に記載の情報通知方法。
【請求項３】
前記判定ステップで、前記通知ステップで前記第１の通知を前記表示部から通知した後、さらに状況判定基準期間中継続して前記時刻表示装置の電池の電圧が前記電圧基準値未満であるか否かを判定し、
前記通知ステップで前記第１の通知を前記表示部から通知した後さらに状況判定基準期間中継続して前記時刻表示装置の電池の電圧が電圧基準値未満である場合に、前記通知ステップで、第２の通知を前記表示部から通知する、
ことを特徴とする請求項２に記載の情報通知方法。
【請求項４】
前記判定ステップで、状況判定基準期間中継続して前記時刻表示装置のソーラーセルの発電量が正常発電基準値未満であるか否かを判定し、
前記状況判定基準期間中継続して前記時刻表示装置のソーラーセルの発電量が前記正常発電基準値未満である場合に、前記通知ステップで、第１の通知を前記表示部から通知する、
ことを特徴とする請求項１から３のいずれか１項に記載の情報通知方法。
【請求項５】
前記判定ステップで、前記通知ステップで前記第１の通知を前記表示部から通知した後、さらに前記状況判定基準期間中継続して前記時刻表示装置のソーラーセルの発電量が前記正常発電基準値未満であるか否かを判定し、
前記通知ステップで前記第１の通知を前記表示部から通知した後さらに前記状況判定基準期間中継続して前記時刻表示装置のソーラーセルの発電量が前記正常発電基準値未満である場合に、前記通知ステップで、第３の通知を前記表示部から通知する、
ことを特徴とする請求項４に記載の情報通知方法。
【請求項６】
前記判定ステップで、針補正判定期間のうち針補正基準日以上、前記時刻表示装置で針位置の自動補正が行われたか否かを判定し、
前記針補正判定期間のうち前記針補正基準日以上、前記時刻表示装置で針位置の前記自動補正が行われた場合に、前記通知ステップで、第４の通知を前記表示部から通知する、
ことを特徴とする請求項１から５のいずれか１項に記載の情報通知方法。
【請求項７】
前記判定ステップで、前記時刻表示装置の時刻修正処理において時刻修正に成功していない日が時刻修正基準日数以上続いているか否かを判定し、
前記時刻修正に成功していない日が前記時刻修正基準日数以上続いている場合に、前記通知ステップで、第５の通知を前記表示部から通知する、
ことを特徴とする請求項１から６のいずれか１項に記載の情報通知方法。
【請求項８】
前記判定ステップで判定した前記時刻表示装置の使用状況に応じた情報を前記時刻表示装置に通知する時刻表示装置通知ステップを含む、
ことを特徴とする請求項１から７のいずれか１項に記載の情報通知方法。
【請求項９】
時刻表示装置と無線通信する通信部と、
制御部と、
表示部と、
を備え、
前記制御部は、
前記通信部により前記時刻表示装置から前記時刻表示装置のログデータを取得し、
前記取得したログデータに基づいて前記時刻表示装置の使用状況を判定し、
前記判定した前記時刻表示装置の使用状況に応じた情報を前記表示部から通知する、
情報通知装置。
【請求項１０】
時刻表示装置と無線通信する通信部と、表示部と、を備える情報通知装置のコンピュータに、
前記通信部により前記時刻表示装置から前記時刻表示装置のログデータを取得するログ取得ステップ、
前記ログ取得ステップで取得したログデータに基づいて前記時刻表示装置の使用状況を判定する判定ステップ、及び、
前記判定ステップで判定した前記時刻表示装置の使用状況に応じた情報を前記表示部から通知する通知ステップ、
を実行させるためのプログラム。
【発明の詳細な説明】
【技術分野】
【０００１】
この発明は、情報通知方法、情報通知装置、及びプログラムに関する。
【背景技術】
【０００２】
腕時計等の電池駆動式の時計は、電池が消耗して電圧が低下すると、時計として機能しなくなる。したがって、電池駆動式の時計は、電池の電圧の低下をユーザに通知する機能を備えていることが多い。例えば、特許文献１には、電池の電圧が低下すると、秒針の進め方を２秒毎に２秒分進めるように変化させ、さらに電圧が低下すると、秒針を停止させる電子時計が開示されている。
【先行技術文献】
【特許文献】
【０００３】
【特許文献１】特開２０１５−１３５３４７号公報
【発明の概要】
【発明が解決しようとする課題】
【０００４】
特許文献１に開示されている電子時計は、秒針の進め方を変化させることによって、ユーザに電池の電圧低下を通知することができる。しかし、この通知によってユーザが知ることができるのは、あくまでも、その時点における電池の電圧低下のみである。電圧低下の原因がユーザのそれまでの使用状況に起因するものであったとしても、ユーザはそのことを知ることはできない。
【０００５】
本発明はこのような事情に鑑みてなされたものであって、使用状況に応じた適切な情報通知を行うことを目的とする。
【課題を解決するための手段】
【０００６】
上記目的を達成するため、本発明に係る情報通知方法は、
時刻表示装置と無線通信する通信部と、表示部と、を備える情報通知装置の情報通知方法であって、
前記通信部により前記時刻表示装置から前記時刻表示装置のログデータを取得するログ取得ステップと、
前記ログ取得ステップで取得したログデータに基づいて前記時刻表示装置の使用状況を判定する判定ステップと、
前記判定ステップで判定した前記時刻表示装置の使用状況に応じた情報を前記表示部から通知する通知ステップと、
を含むことを特徴とする。
【発明の効果】
【０００７】
本発明によれば、使用状況に応じた適切な情報通知を行うことができる。
【図面の簡単な説明】
【０００８】
【図１】本発明の実施形態１に係る情報通知システムの構成例を示す図である。
【図２】実施形態１に係るスマートフォンの機能構成を示すブロック図である。
【図３】実施形態１に係るスマートフォンのログ記憶部が記憶するログデータの一例を示す図である。
【図４】実施形態１に係る電子時計の機能構成を示すブロック図である。
【図５】実施形態１に係る電子時計の時計ログ記憶部が記憶するログデータの一例を示す図である。
【図６】実施形態１に係るサーバの機能構成を示すブロック図である。
【図７】実施形態１に係るサーバの時計毎ログ記憶部が記憶するログデータの一例を示す図である。
【図８】実施形態１に係る初期化処理のフローチャートである。
【図９】実施形態１に係るログデータ取得処理のフローチャートである。
【図１０】実施形態１に係る情報通知処理のフローチャートである。
【図１１】実施形態１に係る電池状況判定処理のフローチャートである。
【図１２】実施形態１に係る充電ガイダンス表示の一例を示す図である。
【図１３】実施形態１に係る通知センター表示の一例を示す図である。
【図１４】実施形態１に係る改善確認有りの充電ガイダンス表示の一例を示す図である。
【図１５】実施形態１に係る電池状況判定処理におけるサポートセンター表示の一例を示す図である。
【図１６】実施形態１に係る発電状況判定処理のフローチャートである。
【図１７】実施形態１に係る発電状況判定処理におけるサポートセンター表示の他の一例を示す図である。
【図１８】実施形態１に係る針位置状況判定処理のフローチャートである。
【図１９】実施形態１に係る針位置補正ガイダンス表示の一例を示す図である。
【図２０】本発明の実施形態１の変形例に係る情報通知処理のフローチャートである。
【図２１】実施形態１の変形例に係る時刻修正状況判定処理のフローチャートである。
【図２２】実施形態１の変形例に係る時刻修正ガイダンス表示の一例を示す図である。
【図２３】本発明の実施形態２に係るスマートフォンの機能構成を示すブロック図である。
【図２４】実施形態２に係る時計通知処理のフローチャートである。
【発明を実施するための形態】
【０００９】
以下、本発明の実施形態について、図面を参照して説明する。なお、図中同一又は相当部分には同一符号を付す。
【００１０】
（実施形態１）
理解を容易にするため、以下、本発明の実施形態１に係るスマートフォン１００を図１に示す情報通知システム１０００に適用した場合を例にして説明する。情報通知システム１０００は、図１に示すように、スマートフォン１００と、電子時計２００と、を備える。そして、スマートフォン１００と電子時計２００とは、Ｂｌｕｅｔｏｏｔｈ（登録商標）  Ｌｏｗ  Ｅｎｅｒｇｙ（以下、ＢＬＥと言う。）によって、近距離無線通信を行う。ＢＬＥとは、近距離無線通信規格であるＢｌｕｅｔｏｏｔｈ（登録商標）において、低消費電力及び低コストを目的として策定された規格（モード）のことである。また、スマートフォン１００は、ネットワーク４００を介してサーバ３００と通信可能である。ネットワーク４００は、インターネット、ＬＴＥ（登録商標）（Ｌｏｎｇ  Ｔｅｒｍ  Ｅｖｏｌｕｔｉｏｎ）等、任意のネットワークを使用することができる。
【００１１】
スマートフォン１００は、電子時計２００から電子時計２００の各種状態及び動作履歴を示すログデータを取得し、該ログデータから電子時計２００の電池状況、発電状況及び針位置補正状況を判定する。そして、スマートフォン１００は、該ログデータから判定したこれら各種の状況に基づき、ユーザに必要な情報通知を行う。また、スマートフォン１００は、該ログデータを、ネットワーク４００を介して、サーバ３００にアップロードすることができる。このため、サーバ３００は、複数のスマートフォン１００を介して、多数の電子時計２００からのログデータを収集することができる。
【００１２】
以下、本実施形態に係るスマートフォン１００の機能構成について説明する。スマートフォン１００は、電子時計２００に関する情報を通知する情報通知装置である。図２に示すように、スマートフォン１００は、制御部１１０と、記憶部１２０と、表示部１３１と、操作部１３２と、第１通信部１３３と、第２通信部１３４と、を備え、これらがバスラインＢＬを介して相互に電気的に接続されている。
【００１３】
制御部１１０は、ＣＰＵ（Ｃｅｎｔｒａｌ  Ｐｒｏｃｅｓｓｉｎｇ  Ｕｎｉｔ）等のプロセッサを備え、記憶部１２０に記憶されたプログラムを読み出して実行することにより、スマートフォン１００の動作を制御する。
【００１４】
記憶部１２０は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を備え、制御部１１０が実行するプログラム及び必要なデータを記憶する。また、記憶部１２０は、機能的には、ログ記憶部１２１を備える。
【００１５】
ログ記憶部１２１は、図３に示すように、電子時計２００から取得したログデータを記憶する。図３では、ログ記憶部１２１が記憶するログデータの種類として、「電池の出力電圧」、「ソーラーセルからの発電電流」、「針位置自動補正」、「時刻修正処理」があることが示されているが、このログデータの種類は一例である。ログデータの種類が「電池の出力電圧」であるログデータは、電子時計２００の電池の出力電圧を過去１年分記憶したログデータである。直近のログデータは１０分毎に記憶され、過去に遡るにつれてログデータは間引かれていき、１年前のログデータは１日毎のログデータが記憶されている。そして、１年以上前のログデータはログ記憶部１２１から消去される。
【００１６】
なお、「電池の出力電圧」は、電圧値そのものではなくても良い。例えば、フル充電時の電池の出力電圧をバッテリレベル１、より小さい電圧値に対してはバッテリレベルの値を１つずつ増やし、もうすぐ空（エンプティ）になる電池の出力電圧をバッテリレベル７と定義して、このバッテリレベルの値を「電池の出力電圧」に相当するログデータとしても良い。
【００１７】
ログデータの種類が「ソーラーセルからの発電電流」であるログデータは、電子時計２００に搭載されているソーラーセル（太陽電池）からの出力電流を過去１年分記憶したログデータである。上述した「電池の出力電圧」と同様に、直近のログデータは１０分毎に記憶され、過去に遡るにつれてログデータは間引かれていき、１年前のログデータは１日毎のログデータが記憶されている。そして、１年以上前のログデータはログ記憶部１２１から消去される。
【００１８】
なお、「ソーラーセルからの発電電流」は、「電池の出力電圧」と同様、電流値そのものではなくても良い。例えば、ソーラーセルにおける最大出力電流を発電レベル１０、より小さい電流値に対しては発電レベルの値を１つずつ減らし、０ｍＡを発電レベル０と定義して、この発電レベルの値を「ソーラーセルからの発電電流」に相当するログデータとしても良い。
【００１９】
ログデータの種類が「針位置自動補正」であるログデータは、電子時計２００が備えている針位置自動補正機能が実行された日時と、その時に補正された針及び補正量を記憶したログデータである。針位置補正保存回数（例えば２０回）分を超えると、古いログデータはログ記憶部１２１から消去される。
【００２０】
ログデータの種類が「時刻修正処理」であるログデータは、電子時計２００の過去１年間分の時刻修正処理の内容を記憶したログデータである。時刻修正処理は、成功する（正しい時刻を取得し、その時刻に補正する）場合と、失敗する（正しい時刻を取得できず、時刻の補正ができない）場合がある。１日の間に１回以上時刻修正処理が成功した場合、最初に成功した時刻修正処理時刻が記憶される。１日の間に行われた時刻修正が全て失敗に終わった場合には、最後の時刻修正失敗時刻が記憶される。時刻修正処理が行われていない日は、このログデータは記憶されない。そして、１年以上前のログデータはログ記憶部１２１から消去される。また、このログデータには、時刻修正処理の成功又は失敗だけでなく、時刻修正処理のためにどの手段（ＧＰＳ（Ｇｌｏｂａｌ  Ｐｏｓｉｔｉｏｎｉｎｇ  Ｓｙｓｔｅｍ）、標準電波、ＢＬＥによるスマートフォンとの接続）が使われたのかも記憶されている。複数の手段が使われた際には、使われた全ての手段が記憶される。
【００２１】
表示部１３１は、ＬＣＤ（Ｌｉｑｕｉｄ  Ｃｒｙｓｔａｌ  Ｄｉｓｐｌａｙ）、ＥＬ（Ｅｌｅｃｔｏｒｏ−Ｌｕｍｉｎｅｓｃｅｎｃｅ）ディスプレイ等を備え、ユーザに通知する情報を表示する。
【００２２】
操作部１３２は、タッチパネル、操作ボタン等を備え、ユーザからの操作入力を受け付ける入力インタフェースである。
【００２３】
第１通信部１３３は、電子時計２００と通信するための、アンテナを含むＢＬＥの無線モジュールである。第１通信部１３３は、制御部１１０の制御に従って、電子時計２００と情報の送受信を行う。
【００２４】
第２通信部１３４は、サーバ３００と通信するためのアンテナを含む無線モジュールである。第２通信部１３４は、例えば、ＬＴＥ（登録商標）又は無線ＬＡＮ（Ｌｏｃａｌ  Ａｒｅａ  Ｎｅｔｗｏｒｋ）に基づく無線通信を行うための無線モジュールであり、制御部１１０の制御に従って、サーバ３００と情報の送受信を行う。
【００２５】
次に、スマートフォン１００の制御部１１０の機能的構成について説明する。制御部１１０は、記憶部１２０に記憶されているプログラムを実行することにより、ログ取得部１１１、判定部１１２、情報通知部１１３、ログ送信部１１４、日時計時部１１５、日時送信部１１６として動作する。
【００２６】
ログ取得部１１１は、電子時計２００からログデータを取得して、ログ記憶部１２１に記憶させる。ログ取得部１１１が電子時計２００からログデータを取得するのは、スマートフォン１００が電子時計２００と第１通信部１３３を介してＢＬＥで接続した時である。これは、ユーザが電子時計２００とスマートフォン１００に手動で接続した時と、電子時計２００が自動時刻修正のためにスマートフォン１００に自動で接続した時の２種類がある。
【００２７】
判定部１１２は、ログ記憶部１２１に記憶されているログデータに基づき、電子時計２００の電池、ソーラーセル、針位置補正等の状況を判定する。判定部１１２がこれらの状況を判定する処理の詳細については後述する。
【００２８】
情報通知部１１３は、判定部１１２が判定した電子時計２００の状況に基づいて、ユーザに通知すべき情報を表示部１３１に表示する。
【００２９】
ログ送信部１１４は、ログ記憶部１２１に記憶されているログデータをサーバ３００に第２通信部１３４を介して送信する。
【００３０】
日時計時部１１５は、現在の日付及び時刻を計時する。図示しないが、スマートフォン１００は、ＬＴＥ（登録商標）基地局との通信機能、ＧＰＳ電波の受信機能、標準電波の受信機能のうちのいずれか１つ以上の機能を備え、これらの機能により現在の正確な日時を定期的に取得している。そして、日時計時部１１５は、これらの機能によって取得した正確な日時を利用することによって、誤差の少ない現在の日時を計時している。
【００３１】
日時送信部１１６は、電子時計２００が時刻修正のためにスマートフォン１００に接続した際に、日時計時部１１５が計時している日付及び時刻を電子時計２００に第１通信部１３３を介して送信する。
【００３２】
以上、実施形態１に係るスマートフォン１００の構成について説明した。
【００３３】
続いて、実施形態１に係る電子時計２００の機能構成について説明する。電子時計２００は、電池駆動式の腕時計であり、ＢＬＥによって、スマートフォン１００と通信可能である。ただし、電子時計２００は腕時計に限定されるものではなく、時刻を表示する機能を有する装置であって電池駆動式の装置（時刻表示装置）であれば、任意の装置でよい。図４に示すように、電子時計２００は、制御部２１０と、記憶部２２０と、時刻表示部２３１と、時計操作部２３２と、近距離通信部２３３と、ＧＰＳ受信部２３４と、標準電波受信部２３５と、計時部２４１と、針位置監視部２４２と、電池２４３と、電圧計測部２４４と、ソーラーセル２４５と、発電量計測部２４６と、を備え、これらがバスラインＢＬを介して電気的に接続されている。
【００３４】
制御部２１０は、ＣＰＵ等のプロセッサを備え、記憶部２２０に記憶されたプログラムを実行することにより、電子時計２００の動作を制御する。
【００３５】
記憶部２２０は、ＲＯＭ及びＲＡＭを備え、制御部２１０が実行するプログラム及び必要なデータを記憶する。また、記憶部２２０は、機能的には、時計ログ記憶部２２１を備える。
【００３６】
時計ログ記憶部２２１は、図５に示すように、後述する時計ログ記録部２１１により、電子時計２００のログデータを記憶する。ログデータは、具体的には、電池２４３の出力電圧、ソーラーセル２４５からの発電電流、針位置自動補正処理の有無、時刻修正処理の有無等である。このうち、電池２４３の出力電圧及びソーラーセル２４５からの発電電流のログデータについては、直近のログデータは１０分毎に記憶され、１日以上前のログデータは８時間毎のログデータに間引かれて記憶される。これらのログデータが間引かれる際は、その８時間で最大値を記録したログデータが残るように間引かれる。
【００３７】
そして、１週間以上前のログデータは時計ログ記憶部２２１から消去される。これらのログデータは、ログ記憶部１２１のところで上述したように、電圧値及び電流値そのものでなくても良い。例えば、電圧値の代わりにバッテリレベルの値を、電流値の代わりに発電レベルの値を、それぞれログデータとしても良い。
【００３８】
また、針位置自動補正処理の有無のログデータは、後述する針位置補正部２１４による針位置補正処理が行われた日時と、その時に補正された針及び補正量を、針位置補正保存個数（例えば５個）分記憶したログデータである。針位置補正保存個数分を超えると、古いログデータは時計ログ記憶部２２１から消去される。
【００３９】
また、時刻修正処理のログデータは、電子時計２００の過去１週間における時刻修正処理の内容を記憶したログデータである。時刻修正処理は、成功する（正しい時刻を取得し、その時刻に補正する）場合と、失敗する（正しい時刻を取得できず、時刻の補正ができない）場合がある。１日の間に１回以上時刻修正処理が成功した場合、最初に成功した時刻修正処理時刻が記憶される。１日の間に行われた時刻修正が全て失敗に終わった場合には、最後の時刻修正失敗時刻が記憶される。時刻修正処理が行われていない日は、このログデータは記憶されない。そして、１週間以上前のログデータは時計ログ記憶部２２１から消去される。また、ログデータには、成功又は失敗だけでなく、時刻修正処理のためにどの手段（ＧＰＳ、標準電波、ＢＬＥによるスマートフォンとの接続）が使われたのかも記憶される。複数の手段が使われた際には、使われた全ての手段が記憶される。
【００４０】
時刻表示部２３１は、モータドライバ、モータ、輪列機構、針（秒針、分針、時針）、日車並びにディスプレイドライバ及びディスプレイ（ＬＣＤ又は有機ＥＬディスプレイ）を備え、現在時刻及び日付を表示する。
【００４１】
時計操作部２３２は、りゅうず、押しボタンスイッチ等を備える。ユーザがこれらを操作することによって、電子時計２００は、時刻修正、スマートフォン１００との接続等を行う。
【００４２】
近距離通信部２３３は、スマートフォン１００と通信するための、アンテナを含むＢＬＥの無線モジュールである。近距離通信部２３３は、制御部２１０の制御に従って、スマートフォン１００と情報の送受信を行う。電子時計２００は、近距離通信部２３３を介して、スマートフォン１００にログデータを送信する他、スマートフォン１００が計時している日時情報を受信して、時刻修正を行うことができる。
【００４３】
ＧＰＳ受信部２３４は、ＧＰＳ衛星から送信されている電波を受信する。電子時計２００は、ＧＰＳ受信部２３４で該電波を受信することによって、現在地の位置及び時刻の情報を取得することができる。
【００４４】
標準電波受信部２３５は、標準電波を受信する。電子時計２００は、標準電波受信部２３５で標準電波を受信することによって、現在時刻を取得することができる。
【００４５】
計時部２４１は、計時回路を備え、現在の日時を計時し、計時した結果を制御部２１０に出力する。制御部２１０は計時部２４１から入力された計時結果に基づき、記憶部２２０に記憶されている現在時刻の情報を更新する計時処理を行い、時刻表示部２３１に現在時刻を表示させる。なお、計時部２４１の機能は、制御部２１０により実現されても良い。
【００４６】
針位置監視部２４２は、時刻表示部２３１の備える各針（秒針、分針、時針）によって示される時刻と、計時部２４１によって計時されている現在時刻との間にずれがないかを監視し、ずれが生じていたら、後述する針位置補正部２１４に知らせる。この監視は継続して常に行っている必要はなく、定期的に行えば良い。例えば、秒針は１分に１回、分針は１時間に１回、時針は１日に１回のような定期的な間隔で、時刻表示部２３１の備える針の指している時分秒と現在時刻の時分秒のそれぞれのずれを監視する。
【００４７】
電池２４３は、電子時計２００に電力を供給する充電可能な二次電池である。
【００４８】
電圧計測部２４４は、電池２４３の出力電圧を計測する。電圧計測部２４４が計測した電圧値は、後述する時計ログ記録部２１１に出力される。
【００４９】
ソーラーセル２４５は、光を当てることによって、電池２４３を充電するための電力を供給する太陽電池である。
【００５０】
発電量計測部２４６は、ソーラーセル２４５が発電する発電量（発電電流）を計測する。ソーラーセル２４５が発電した電流は電池２４３を充電するために使用されるため、該発電量は、電池２４３を充電する際の充電電流の値と同じである。発電量計測部２４６が計測した電流値は、後述する時計ログ記録部２１１に出力される。
【００５１】
次に、電子時計２００の制御部２１０の機能的構成について説明する。制御部２１０は、機能的には、時計ログ記録部２１１、時計ログ送信部２１２、時刻修正部２１３及び針位置補正部２１４を備える。
【００５２】
時計ログ記録部２１１は、電圧計測部２４４が計測した電池２４３の出力電圧の値、発電量計測部２４６が計測したソーラーセル２４５からの発電電流の値、時刻修正部２１３による時刻修正結果、針位置補正部２１４による針位置補正結果等を、時計ログ記憶部２２１に記憶させる。
【００５３】
時計ログ送信部２１２は、時計ログ記憶部２２１に記憶されているログデータをスマートフォン１００に近距離通信部２３３を介して送信する。
【００５４】
時刻修正部２１３は、時計操作部２３２からのユーザの指示による手動時刻修正処理と、定期的な（例えば毎日決まった時刻に時刻修正処理を起動することによる）自動時刻修正処理とを行う。時刻修正処理は、手動か自動かによらず、ＧＰＳ電波の受信、標準電波の受信、スマートフォン１００との接続のいずれかを行って、現在の正確な日時を取得することによって行う。
【００５５】
針位置補正部２１４は、針位置監視部２４２から針の位置がずれていることの知らせを受けると、針の位置を、現在時刻を表示する正しい位置に補正する。
【００５６】
以上、実施形態１に係る電子時計２００の構成について説明した。
【００５７】
続いて、実施形態１に係るサーバ３００の機能構成について説明する。サーバ３００は、ネットワーク４００を介してスマートフォン１００と接続して、スマートフォン１００からログデータを受信及び記憶できるコンピュータである。図６に示すように、サーバ３００は、制御部３１０と、記憶部３２０と、出力部３３１と、入力部３３２と、通信部３３３と、を備え、これらがバスラインＢＬを介して電気的に接続されている。
【００５８】
制御部３１０は、ＣＰＵ等のプロセッサを備え、記憶部３２０に記憶されたプログラムを実行することにより、サーバ３００の動作を制御する。
【００５９】
記憶部３２０は、ＲＯＭ及びＲＡＭを備え、制御部３１０が実行するプログラム及び必要なデータを記憶する。また、記憶部３２０は、機能的には、時計毎ログ記憶部３２１を備える。
【００６０】
時計毎ログ記憶部３２１は、後述する時計毎ログ取得部３１１により取得した電子時計２００のログデータを記憶する。サーバ３００は、複数のスマートフォン１００と通信することが可能なため、複数の電子時計２００のログデータを受信することができる。このため、時計毎ログ記憶部３２１は、図７に示すように、電子時計２００のＩＤ（Ｉｄｅｎｔｉｆｉｅｒ）毎に、ログデータを記憶している。電子時計２００のＩＤ毎に記憶していることを除けば、ログデータの中身は、スマートフォン１００のログ記憶部１２１と同様である。ただし、サーバ３００の記憶部３２０の記憶容量は、通常、スマートフォン１００の記憶部１２０の記憶容量よりも大きいため、ログ記憶部１２１よりも保存期間を長くしてログデータを記憶しても良い。例えば、「電池の出力電圧」及び「ソーラーセルからの発電電流」を過去数年分記憶するようにしても良い。
【００６１】
出力部３３１は、ＬＣＤ、ＥＬディスプレイ等の出力デバイスである。入力部３３２は、キーボード、マウス、タッチパネル等の入力デバイスである。通信部３３３は、スマートフォン１００と通信するための通信デバイスである。通信部３３３は、スマートフォン１００と通信可能であるなら、任意の通信デバイスを用いることができる。
【００６２】
次に、サーバ３００の制御部３１０の機能構成について説明する。制御部３１０は、記憶部３２０に記憶されているプログラムを実行することにより、時計毎ログ取得部３１１及び時計毎判定部３１２として動作する。
【００６３】
時計毎ログ取得部３１１は、スマートフォン１００から電子時計２００のＩＤ及びログデータを取得して、時計毎ログ記憶部３２１に記憶させる。
【００６４】
時計毎判定部３１２は、時計毎ログ記憶部３２１に記憶されているログデータに基づき、電子時計２００毎に、該電子時計２００の電池、ソーラーセル、針位置補正等の状況を判定する。時計毎判定部３１２がこれらの状況を判定する処理は、スマートフォン１００の判定部１１２による処理と同様のため、その詳細の説明は省略する。
【００６５】
以上、実施形態１に係るサーバ３００の構成について説明した。次に、スマートフォン１００が、電子時計２００の状況を判定して、必要に応じてユーザに情報を通知する処理について、順を追って説明する。
【００６６】
（初期化処理）
まず、スマートフォン１００と電子時計２００とがＢＬＥで接続し、スマートフォン１００が電子時計２００の状況を把握できるようにするための初期化処理について、図８を参照して説明する。この処理は、ユーザが電子時計２００を購入した際に、スマートフォン１００に電子時計２００を登録する作業として、１度だけ行う。この初期化処理は、例えば、スマートフォンのアプリケーションソフトとして提供されており、ユーザがこのアプリケーションソフトを起動することによって、初期化処理が開始される。
【００６７】
まず、制御部１１０は、スマートフォン１００と電子時計２００とがペアリング済みであるか否かを判定する（ステップＳ１０１）。ペアリングとは、Ｂｌｕｅｔｏｏｔｈ（登録商標）で通信を行う機器同士を接続することである。スマートフォン１００と電子時計２００とが過去にペアリング済みであれば、その過去にペアリングした時の情報に基づいて自動的に接続することが可能なので、このことに基づいて、ペアリング済みであるか否かを判定することができる。ペアリング済みであるなら（ステップＳ１０１；Ｙｅｓ）、ステップＳ１０３に進む。
【００６８】
スマートフォン１００と電子時計２００とがペアリング済みでないなら（ステップＳ１０１；Ｎｏ）、制御部１１０は電子時計２００とペアリングを行う（ステップＳ１０２）。
【００６９】
ペアリングが完了したら、制御部１１０は電子時計２００のＩＤを取得して、記憶部１２０に記憶する（ステップＳ１０３）。
【００７０】
次に制御部１１０は、記憶部１２０に記憶している変数である「電池フラグ」を０にクリアする（ステップＳ１０４）。そして、制御部１１０は、記憶部１２０に記憶している変数である「発電フラグ」も０にクリアする（ステップＳ１０５）。さらに、制御部１１０は、ログ記憶部１２１の全体も０にクリアし（ステップＳ１０６）、初期化処理を終了する。なお、変数「電池フラグ」は、電子時計２００の電池が劣化している可能性があるか否かを示すフラグである。判定部１１２が、電子時計２００の電池が劣化している可能性はないと判定したら変数「電池フラグ」は０にクリアされ、劣化している可能性があると判定したら変数「電池フラグ」に１がセットされる。また、変数「発電フラグ」は、電子時計２００のソーラーセルが劣化している可能性があるか否かを示すフラグである。判定部１１２が、電子時計２００のソーラーセルが劣化している可能性はないと判定したら変数「発電フラグ」は０にクリアされ、劣化している可能性があると判定したら変数「発電フラグ」に１がセットされる。なお、上記ステップＳ１０４では、変数「電池フラグ」を０にクリアしているが、ステップＳ１０４で変数「電池フラグ」に１をセットしてもよい。変数「電池フラグ」に最初から１にセットしておくことによって、スマートフォン１００は、後述する充電に関する情報を通知しやすくなる。変数「発電フラグ」についても同様に、ステップＳ１０５で１をセットするようにしてもよい。
【００７１】
以上の初期化処理によって、電子時計２００の今後の使用傾向に基づいて、スマートフォン１００が電子時計２００の各種状況の判定を行うための準備が整う。
【００７２】
（ログ取得処理）
上述の初期化処理はスマートフォン１００が電子時計２００の各種状況の判定を行うための準備を整えるだけであり、該判定を行うためには、スマートフォン１００は電子時計２００からログデータを取得する必要がある。そこで、次にこのログデータ取得処理について、図９を参照して説明する。このログデータ取得処理は、電子時計２００がスマートフォン１００に接続すると、実行が開始される。例えば、ユーザが電子時計２００の時刻修正を行うために、電子時計２００をスマートフォン１００に接続すると、時刻修正処理とともに、ログデータ取得処理も行われる。この時、スマートフォン１００は、時刻修正処理とログデータ取得処理とを別スレッドで同時に実行しても良いし、どちらかを先に実行し、その後もう一方の処理を実行しても良い。
【００７３】
まず、スマートフォン１００のログ取得部１１１は、第１通信部１３３を介して、電子時計２００からログデータを取得する（ステップＳ１１１）。ステップＳ１１１は、ログ取得ステップとも呼ばれる。なお、スマートフォン１００がステップＳ１１１を実行している時、電子時計２００の時計ログ送信部２１２は、時計ログ記憶部２２１に記憶されているログデータをスマートフォン１００に近距離通信部２３３を介して送信している。
【００７４】
次に、スマートフォン１００のログ取得部１１１は、取得したログデータをログ記憶部１２１に記憶し（ステップＳ１１２）、ログデータ取得処理を終了する。なお、ステップＳ１１２において、ログ取得部１１１は、ログ記憶部１２１に記憶されている古いログデータ（例えば１年以上前の「電池の出力電圧」）や、間引くべきログデータを削除する。例えば、７日前から１日前までの「電池の出力電圧」は８時間毎のログデータが電子時計２００から送信されるが、これを１日毎のログデータに間引く。ログ取得部１１１が「電池の出力電圧」及び「ソーラーセルからの発電電流」のログデータを間引く際は、その１日の最大値を記録したログデータが残るように間引く。
【００７５】
以上のログデータ取得処理によって、ログ記憶部１２１に、電子時計２００から取得したログデータが蓄積され、スマートフォン１００は、電子時計２００の各種状況を判定できるようになる。
【００７６】
（情報通知処理）
次に、スマートフォン１００が電子時計２００の各種状況の判定を行って、ユーザに必要な情報の通知を行う情報通知処理について、図１０を参照して説明する。
【００７７】
この情報通知処理は、上述したログデータ取得処理が終了すると、実行が開始される。また、この情報通知処理を開始するためのアプリケーションソフトをユーザが起動した時にも実行が開始される。
【００７８】
情報通知処理が開始されると、スマートフォン１００は、電池状況判定処理（ステップＳ２０１）、発電状況判定処理（ステップＳ２０２）及び針位置状況判定処理（ステップＳ２０３）を順次行ってから、情報通知処理を終了する。これらの各判定処理において、ユーザへの通知が必要と判定された場合に、スマートフォン１００はユーザに情報を通知する。そこで、これらの各処理の詳細について、順に説明する。
【００７９】
なお、理解を容易にするため、以下の各処理の説明中では、「電池の出力電圧」のログデータはバッテリレベル１〜７として扱い、「ソーラーセルからの発電電流」のログデータは発電レベル１０〜０として扱うこととする。ここで、バッテリレベル１は電池２４３がフル充電されている時の出力電圧に対応し、バッテリレベル７は電池２４３がもうすぐ空（エンプティ）になる時の出力電圧に対応することとする。また、発電レベル１０は晴れた日の屋外で日光をソーラーセル２４５に当てた時の発電電流に対応し、発電レベル０は光が全く当たっていない時の発電電流に対応することとする。また、発電レベル５は電子時計２００が通常動作している時における消費電流と大体同じ発電電流に対応し、発電レベル７は蛍光灯直下の環境における発電電流に対応することとする。また、以下の説明中では、バッテリレベル５となる最低電圧を電圧基準値とし、発電レベル５となる最低電流を平衡発電基準値とし、発電レベル７となる最低電流を正常発電基準値とする。ただし、以上のレベル値及び基準値は一例であるので、より適切な値に適宜変更して良い。
【００８０】
また、理解を容易にするため、以下の各処理の説明中では、状況を判定する期間を「１ヶ月」として、説明しているが、この期間（状況判定基準期間）は１ヶ月に限定されるわけではない。
【００８１】
まず、図１０のステップＳ２０１で実行される電池状況判定処理について、図１１を参照して説明する。
【００８２】
電池状況判定処理では、まず、スマートフォン１００の判定部１１２は、ログ記憶部１２１を参照し、「電池の出力電圧」の最新（直近）のログデータの値が電圧基準値未満であるか否かを判定する（ステップＳ３０１）。ステップＳ３０１は、判定ステップとも呼ばれる。「電池の出力電圧」のログデータの値が電圧基準値未満とは、ここでは、ログデータとして記録されているバッテリレベルが６又は７であることを意味する。
【００８３】
「電池の出力電圧」の最新のログデータの値が電圧基準値以上であるなら（ステップＳ３０１；Ｎｏ）、制御部１１０は変数「電池フラグ」を０にクリアして（ステップＳ３０２）、電池状況判定処理を終了する。「電池の出力電圧」の最新のログデータの値が電圧基準値未満であるなら（ステップＳ３０１；Ｙｅｓ）、判定部１１２は変数「電池フラグ」の値が１か否かを判定する（ステップＳ３０３）。
【００８４】
変数「電池フラグ」の値が１でなければ（ステップＳ３０３；Ｎｏ）、判定部１１２は、ログ記憶部１２１を参照し、「電池の出力電圧」の過去１ヶ月間におけるログデータの最高値が電圧基準値未満であるか否かを判定する（ステップＳ３０４）。ステップＳ３０４は、判定ステップとも呼ばれる。
【００８５】
「電池の出力電圧」の過去１ヶ月間におけるログデータの最高値が電圧基準値未満であるなら（ステップＳ３０４；Ｙｅｓ）、情報通知部１１３は、表示部１３１に充電ガイダンスを表示する（ステップＳ３０５）。ステップＳ３０５は、通知ステップとも呼ばれる。充電ガイダンスとは、図１２に示すように、充電量が不足していることと、良好な充電をするためのアドバイス（第１の通知）を通知する画面である。そして、制御部１１０は、変数「電池フラグ」に１をセットし、変数「電池判定日」に本日（電子時計２００をスマートフォン１００に接続した日）をセットし（ステップＳ３０６）、電池状況判定処理を終了する。
【００８６】
一方、ステップＳ３０４において、「電池の出力電圧」の過去１ヶ月間におけるログデータの最高値が電圧基準値以上であるなら（ステップＳ３０４；Ｎｏ）、情報通知部１１３は、「電池の出力電圧」の最新のログデータの値に応じた通知センター表示を行い（ステップＳ３０７）、電池状況判定処理を終了する。通知センター表示とは、図１３に示すように、スマートフォン１００の画面上部にメッセージを表示するものである。なお、図１３は、バッテリレベル７に対応したメッセージである「充電してください」を表示している例を示している。「電池の出力電圧」の最新のログデータの値がバッテリレベル６の場合は、通知センター表示におけるメッセージの内容は「そろそろ充電してください」になる。
【００８７】
一方、ステップＳ３０３において、変数「電池フラグ」の値が１ならば（ステップＳ３０３；Ｙｅｓ）、判定部１１２は、変数「電池判定日」にセットされている日付から本日までに１ヶ月以上経過しているか否かを判定する（ステップＳ３０８）。ステップＳ３０８は、判定ステップとも呼ばれる。１ヶ月以上経過していなければ（ステップＳ３０８；Ｎｏ）、情報通知部１１３は、「電池の出力電圧」の最新のログデータの値に応じた通知センター表示を行い（ステップＳ３０７）、制御部１１０は電池状況判定処理を終了する。
【００８８】
変数「電池判定日」にセットされている日付から本日までに１ヶ月以上経過しているなら（ステップＳ３０８；Ｙｅｓ）、判定部１１２は、ログ記憶部１２１を参照し、「電池の出力電圧」の過去１ヶ月間におけるログデータの最高値が電圧基準値未満であるか否かを判定する（ステップＳ３０９）。ステップＳ３０９は、判定ステップとも呼ばれる。過去１ヶ月間におけるログデータの最高値が電圧基準値以上であるなら（ステップＳ３０９；Ｎｏ）、制御部１１０が変数「電池フラグ」を０にクリアし（ステップＳ３１０）、情報通知部１１３が「電池の出力電圧」の最新のログデータの値に応じた通知センター表示を行い（ステップＳ３０７）、電池状況判定処理を終了する。
【００８９】
過去１ヶ月間におけるログデータの最高値が電圧基準値未満であるなら（ステップＳ３０９；Ｙｅｓ）、判定部１１２は、ログ記憶部１２１を参照し、「ソーラーセルからの発電電流」の過去１ヶ月間におけるログデータの最高値が平衡発電基準値以上であるか否かを判定する（ステップＳ３１１）。ステップＳ３１１は、判定ステップとも呼ばれる。「ソーラーセルからの発電電流」のログデータの値が平衡発電基準値以上とは、ここでは、ログデータとして記憶されている発電レベルが５以上であることを意味する。つまり、「ソーラーセルからの発電電流」の過去１ヶ月間におけるログデータの最高値が平衡発電基準値未満ということは、電子時計２００の通常の消費電力分をソーラーセルが発電できていないということを意味する。
【００９０】
「ソーラーセルからの発電電流」の過去１ヶ月間におけるログデータの最高値が平衡発電基準値未満であるなら（ステップＳ３１１；Ｎｏ）、情報通知部１１３は、表示部１３１に充電ガイダンスを表示する（ステップＳ３１３）。ステップＳ３１３は、通知ステップとも呼ばれる。そして、制御部１１０は、変数「電池判定日」に本日（電子時計２００をスマートフォン１００に接続した日）をセットし（ステップＳ３１４）、電池状況判定処理を終了する。
【００９１】
一方、ステップＳ３１１で、「ソーラーセルからの発電電流」の過去１ヶ月間におけるログデータの最高値が平衡発電基準値以上であるなら（ステップＳ３１１；Ｙｅｓ）、判定部１１２は、ログ記憶部１２１を参照し、過去１ヶ月間の時刻修正処理で用いられたＧＰＳ及び標準電波の受信並びにＢＬＥによるスマートフォン１００との通信の回数の平均が使用基準値以上か否かを判定する（ステップＳ３１２）。ステップＳ３１２は、判定ステップとも呼ばれる。ＧＰＳ及び標準電波の受信並びにＢＬＥによるスマートフォン１００との通信の回数の平均が使用基準値以上とは、ここでは、ＧＰＳ及び標準電波の受信並びにＢＬＥによるスマートフォン１００との通信の回数の過去１ヶ月の平均値が２日に１回以上であることを意味する。
【００９２】
過去１ヶ月間の時刻修正処理で用いられたＧＰＳ及び標準電波の受信並びにＢＬＥによるスマートフォン１００との通信の回数の平均が使用基準値以上なら（ステップＳ３１２；Ｙｅｓ）、情報通知部１１３は、表示部１３１に充電ガイダンスを表示する（ステップＳ３１３）。そして、制御部１１０は、変数「電池判定日」に本日（電子時計２００をスマートフォン１００に接続した日）をセットし（ステップＳ３１４）、電池状況判定処理を終了する。
【００９３】
過去１ヶ月間の時刻修正処理で用いられたＧＰＳ及び標準電波の受信並びにＢＬＥによるスマートフォン１００との通信の回数の平均が使用基準値未満なら（ステップＳ３１２；Ｎｏ）、情報通知部１１３は、表示部１３１に改善確認有りの充電ガイダンスを表示し（ステップＳ３１５）、改善の有無に関するユーザからの入力（「こちら」又は「ＯＫ」のタッチ）を待つ。ステップＳ３１５は、通知ステップとも呼ばれる。該入力は、操作部１３２の備えるタッチパネルによって取得することができる。なお、改善確認有りの充電ガイダンスとは、図１４に示すように、良好な充電をするためのアドバイスを通知するとともに、充電量不足が改善されたか否かを確認する画面である。
【００９４】
そして、制御部１１０は、ユーザからの入力が「改善しない」（「こちら」のタッチ）であるか否かを判定する（ステップＳ３１６）。ユーザからの入力が「改善しない」ではない（つまり「ＯＫ」）なら（ステップＳ３１６；Ｎｏ）、制御部１１０は、電池状況判定処理を終了する。
【００９５】
ユーザからの入力が「改善しない」（つまり「こちら」）なら（ステップＳ３１６；Ｙｅｓ）、制御部１１０は、変数「電池フラグ」を０にクリアし（ステップＳ３１７）、情報通知部１１３は、表示部１３１に図１５に示すような、バッテリー劣化の可能性を示すサポートセンター表示（第２の通知）を行い（ステップＳ３１８）、電池状況判定処理を終了する。
【００９６】
以上で、電池状況判定処理についての説明を終了する。この電池状況判定処理によって、スマートフォン１００は、電子時計２００の充電量が長期間不足している場合には、良好な充電をするためのアドバイス情報を通知することができる。また、該アドバイス情報を通知した後もまだ電子時計２００の充電量が長期間不足しているなら、スマートフォン１００は、充電量不足が改善されたか否かを確認するメッセージを出力し、改善されない旨の回答を取得した場合には、バッテリー劣化の可能性があることを通知することができる。
【００９７】
なお、スマートフォン１００が電子時計２００のログデータを１ヶ月（状況判定基準期間）以上取得できていない場合（前回のログ取得日が、１ヶ月（状況判定基準期間）以上前だった場合）は、電子時計２００の電池の状況を正しく判定できない可能性が高い。したがって、この場合は、電池状況判定処理全体をスキップ（何も処理せずに電池状況判定処理を終了）しても良い。次に、図１０のステップＳ２０２で実行される発電状況判定処理について、図１６を参照して説明する。
【００９８】
発電状況判定処理では、まず、スマートフォン１００の判定部１１２は、ログ記憶部１２１を参照し、「電池の出力電圧」の最新（直近）のログデータの値が電圧基準値未満であるか否かを判定する（ステップＳ４０１）。ステップＳ４０１は、判定ステップとも呼ばれる。「電池の出力電圧」のログデータの値が電圧基準値未満とは、ここでは、ログデータとして記録されているバッテリレベルが６又は７であることを意味する。
【００９９】
「電池の出力電圧」の最新のログデータの値が電圧基準値以上であるなら（ステップＳ４０１；Ｎｏ）、制御部１１０は変数「発電フラグ」を０にクリアして（ステップＳ４０２）、発電状況判定処理を終了する。「電池の出力電圧」の最新のログデータの値が電圧基準値未満であるなら（ステップＳ４０１；Ｙｅｓ）、判定部１１２は変数「発電フラグ」の値が１か否かを判定する（ステップＳ４０３）。
【０１００】
変数「発電フラグ」の値が１でなければ（ステップＳ４０３；Ｎｏ）、判定部１１２は、ログ記憶部１２１を参照し、「ソーラーセルからの発電電流」の過去１ヶ月間におけるログデータの最高値が正常発電基準値未満であるか否かを判定する（ステップＳ４０４）。ステップＳ４０４は、判定ステップとも呼ばれる。「ソーラーセルからの発電電流」のログデータの値が正常発電基準値未満とは、ここでは、ログデータとして記憶されている発電レベルが７未満であることを意味する。つまり、「ソーラーセルからの発電電流」の過去１ヶ月間におけるログデータの最高値が正常発電基準値未満ということは、ソーラーセル２４５が過去１ヶ月間、常に蛍光灯直下の環境における発電電流すら発電できていないことを意味する。
【０１０１】
「ソーラーセルからの発電電流」の過去１ヶ月間におけるログデータの最高値が正常発電基準値以上であるなら（ステップＳ４０４；Ｎｏ）、制御部１１０は、発電状況判定処理を終了する。
【０１０２】
「ソーラーセルからの発電電流」の過去１ヶ月間におけるログデータの最高値が正常発電基準値未満であるなら（ステップＳ４０４；Ｙｅｓ）、情報通知部１１３は、表示部１３１に図１２に示すような充電ガイダンスを表示する（ステップＳ４０５）。ステップＳ４０５は、通知ステップとも呼ばれる。そして、制御部１１０は、変数「発電フラグ」に１をセットし、変数「発電判定日」に本日（電子時計２００をスマートフォン１００に接続した日）をセットし（ステップＳ４０６）、発電状況判定処理を終了する。
【０１０３】
一方、ステップＳ４０３において、変数「発電フラグ」の値が１ならば（ステップＳ４０３；Ｙｅｓ）、判定部１１２は、変数「発電判定日」にセットされている日付から本日までに１ヶ月以上経過しているか否かを判定する（ステップＳ４０７）。ステップＳ４０７は、判定ステップとも呼ばれる。１ヶ月以上経過していなければ（ステップＳ４０７；Ｎｏ）、制御部１１０は発電状況判定処理を終了する。
【０１０４】
変数「発電判定日」にセットされている日付から本日までに１ヶ月以上経過しているなら（ステップＳ４０７；Ｙｅｓ）、判定部１１２は、ログ記憶部１２１を参照し、「ソーラーセルからの発電電流」の過去１ヶ月間におけるログデータの最高値が正常発電基準値未満であるか否かを判定する（ステップＳ４０８）。ステップＳ４０８は、判定ステップとも呼ばれる。「ソーラーセルからの発電電流」の過去１ヶ月間におけるログデータの最高値が正常発電基準値以上であるなら（ステップＳ４０８；Ｎｏ）、制御部１１０は変数「発電フラグ」を０にクリアし（ステップＳ４０９）、発電状況判定処理を終了する。
【０１０５】
「ソーラーセルからの発電電流」の過去１ヶ月間におけるログデータの最高値が正常発電基準値未満であるなら（ステップＳ４０８；Ｙｅｓ）、情報通知部１１３は、表示部１３１に図１４に示すような改善確認有りの充電ガイダンスを表示し（ステップＳ４１０）、改善の有無に関するユーザからの入力（「こちら」又は「ＯＫ」のタッチ）を待つ。ステップＳ４１０は、通知ステップとも呼ばれる。該入力は、操作部１３２の備えるタッチパネルによって取得することができる。
【０１０６】
そして、制御部１１０は、ユーザからの入力が「改善しない」（「こちら」のタッチ）であるか否かを判定する（ステップＳ４１１）。ユーザからの入力が「改善しない」ではない（つまり「ＯＫ」）なら（ステップＳ４１１；Ｎｏ）、制御部１１０は、発電状況判定処理を終了する。
【０１０７】
ユーザからの入力が「改善しない」（つまり「こちら」）なら（ステップＳ４１１；Ｙｅｓ）、制御部１１０は、変数「発電フラグ」を０にクリアし（ステップＳ４１２）、情報通知部１１３は、表示部１３１に図１７に示すような、ソーラーセル劣化の可能性を示すサポートセンター表示（第３の通知）を行い（ステップＳ４１３）、発電状況判定処理を終了する。
【０１０８】
以上で、発電状況判定処理についての説明を終了する。この発電状況判定処理によって、スマートフォン１００は、電子時計２００の充電量が長期間不足している場合には、良好な充電をするためのアドバイス情報を通知することができる。また、該アドバイス情報を通知した後もまだ電子時計２００の充電量が長期間不足しているなら、スマートフォン１００は、充電量不足が改善されたか否かを確認するメッセージを出力し、改善されない旨の回答を取得した場合には、ソーラーセル劣化の可能性があることを通知することができる。
【０１０９】
なお、スマートフォン１００が電子時計２００のログデータを１ヶ月（状況判定基準期間）以上取得できていない場合（前回のログ取得日が、１ヶ月（状況判定基準期間）以上前だった場合）は、電子時計２００のソーラーセルの状況を正しく判定できない可能性が高い。したがって、この場合は、発電状況判定処理全体をスキップ（何も処理せずに発電状況判定処理を終了）しても良い。次に、図１０のステップＳ２０３で実行される針位置状況判定処理について、図１８を参照して説明する。
【０１１０】
針位置状況判定処理では、まず、スマートフォン１００の判定部１１２は、ログ記憶部１２１を参照し、「針位置自動補正」の過去の針補正判定期間（例えば、１週間）のログデータにおいて、特定の針（秒針、分針、時針）で針補正基準日（例えば、５日）以上、針位置の自動補正が行われたか否かを判定する（ステップＳ５０１）。ステップＳ５０１は、判定ステップとも呼ばれる。特定の針での針補正基準日以上の針位置自動補正が行われていないなら（ステップＳ５０１；Ｎｏ）、制御部１１０は、針位置状況判定処理を終了する。
【０１１１】
特定の針で針補正基準日以上、針位置の自動補正が行われているなら（ステップＳ５０１；Ｙｅｓ）、情報通知部１１３は、ログ記憶部１２１に記憶されている「針位置自動補正」の過去の針補正判定期間のログデータに基づき、針位置自動補正の発生日時の情報を取得する（ステップＳ５０２）。その際、該発生日時に特徴（午前中に発生している、平日に発生している等）がある場合には、該特徴も取得するのが望ましい。
【０１１２】
そして、情報通知部１１３は、表示部１３１に針位置補正ガイダンスを表示する（ステップＳ５０３）。ステップＳ５０３は、通知ステップとも呼ばれる。針位置補正ガイダンスとは、図１９に示すように、針がずれたことと、針がずれないようにするためのアドバイス（第４の通知）を通知する画面である。そして、制御部１１０は、針位置状況判定処理を終了する。ステップＳ５０３での針位置補正ガイダンスの表示においては、ステップＳ５０２で取得した針位置自動補正の発生日時の情報又は該発生日時の特徴の情報も表示することが望ましい。図１９は、針位置自動補正の発生日時が午前中に集中していた場合の表示例である。
【０１１３】
以上で、針位置状況判定処理についての説明を終了する。この針位置状況判定処理によって、スマートフォン１００は、電子時計２００の針位置が頻繁にずれている場合には、針がずれないようにするためのアドバイス情報を通知することができる。
【０１１４】
以上で、図１０に示す情報通知処理の各ステップで実行される各状況判定処理についての説明をすべて終了した。以上で説明したように、情報通知処理によって、スマートフォン１００は、電子時計２００の使用状況を判定し、使用状況に応じた適切な情報をユーザに通知することができる。
【０１１５】
（実施形態１の変形例）
図１０に示す情報通知処理では、ユーザに、充電に関するガイダンス及び磁気に関するガイダンスを通知している。しかし、通知するガイダンスをこれらの限定する必要はない。そこで、時刻修正に関するガイダンスも通知する実施形態１の変形例について説明する。
【０１１６】
実施形態１の変形例に係る情報通知処理は、図２０に示すように、実施形態１の情報通知処理（図１０）に、時刻修正状況判定処理（ステップＳ２０４）を追加した処理内容になっており、これ以外には異なる点はない。
【０１１７】
そこで、時刻修正状況判定処理について、図２１を参照して説明する。まず、スマートフォン１００の判定部１１２は、ログ記憶部１２１を参照して、「時刻修正処理」のログデータから、時刻修正を失敗している日が時刻修正基準日数（例えば１週間）以上続いているか否かを判定する（ステップＳ６０１）。ステップＳ６０１は、判定ステップとも呼ばれる。過去の時刻修正基準日数未満の間に時刻修正が成功しているなら（ステップＳ６０１；Ｎｏ）、制御部１１０は、時刻修正状況判定処理を終了する。
【０１１８】
時刻修正を失敗している日が時刻修正基準日数以上続いているなら（ステップＳ６０１；Ｙｅｓ）、情報通知部１１３は、表示部１３１に時刻修正ガイダンスを表示する（ステップＳ６０２）。ステップＳ６０２は、通知ステップとも呼ばれる。時刻修正ガイダンスとは、図２２に示すように、時刻修正が正しく行われるためのアドバイス（第５の通知）を通知する画面である。そして、制御部１１０は、時刻修正状況判定処理を終了する。
【０１１９】
以上説明した時刻修正状況判定処理により、スマートフォン１００は、電子時計２００の時刻修正処理が頻繁に失敗している場合には、時刻修正が正しく行われるためのアドバイス情報を通知することができる。
【０１２０】
（実施形態２）
以上説明した実施形態１に係るスマートフォン１００は、情報通知処理により、ユーザに、必要な情報を通知することができる。次に、ユーザだけでなく、電子時計２００にも、必要な情報を通知することができる実施形態２について説明する。実施形態２に係る情報通知システム１００１は、実施形態１に係る情報通知システム１０００において、スマートフォン１００をスマートフォン１０１に置き換えたものであり、図１に示すように、スマートフォン１０１と、電子時計２００と、を備える。
【０１２１】
実施形態２に係るスマートフォン１０１は、図２３に示すように、実施形態１に係るスマートフォン１００（図２）に、時計通知部１１７が追加された構成になっている。時計通知部１１７は、判定部１１２が判定した電子時計２００の状況に基づいて、電子時計２００に通知すべき情報を電子時計２００に第１通信部１３３を介して送信する。
【０１２２】
また、スマートフォン１０１もスマートフォン１００と同様に、初期化処理（図８）、ログデータ取得処理（図９）、情報通知処理（図１０）を行うが、これらに加えて、電子時計２００に必要な情報を通知する時計通知処理を行う。この時計通知処理について、図２４を参照して説明する。この時計通知処理は、情報通知処理と同様に、上述したログデータ取得処理が終了すると、実行が開始される。実際には、上述した情報通知処理の各判定処理における表示部１３１へのガイダンス表示時に、電子時計２００への通知も行う処理が行われると考えれば良い。
【０１２３】
時計通知処理では、まず、スマートフォン１０１の制御部１１０は、ログ記憶部１２１を参照し、電子時計２００の使用状況を分析する（ステップＳ７０１）。この分析の処理は、上述した情報通知処理の各判定処理における各種判定処理と同様の処理である。
【０１２４】
そして、判定部１１２は、ステップＳ７０１での制御部１１０による分析結果が「電子時計に異常あり」であるか否かを判定する（ステップＳ７０２）。ステップＳ７０２は、判定ステップとも呼ばれる。例えば、上述した電池状況判定処理（図１１）、発電状況判定処理（図１６）、針位置状況判定処理（図１８）及び時刻修正状況判定処理（図２１）において、判定部１１２の判定によって、情報通知部１１３が各種ガイダンスを表示する処理を行う場合は、判定部１１２が「電子時計に異常あり」であると判定したことを意味する。
【０１２５】
分析結果が「電子時計に異常あり」でないなら（ステップＳ７０２；Ｎｏ）、制御部１１０は、時計通知処理を終了する。分析結果が「電子時計に異常あり」であるなら（ステップＳ７０２；Ｙｅｓ）、時計通知部１１７は、電子時計２００に第１通信部１３３を介して、当該異常を通知する（ステップＳ７０３）。ステップＳ７０３は、時刻表示装置通知ステップとも呼ばれる。そして、制御部１１０は時計通知処理を終了する。当該異常の通知は、例えば、「充電量が慢性的に不足していること」、「針のずれが多く発生したこと」、「１週間以上時刻修正が成功していないこと」等の通知である。電子時計２００は、当該異常の通知をスマートフォン１０１から近距離通信部２３３を介して受信し、時刻表示部２３１の備えるディスプレイに表示する。これにより、ユーザはスマートフォン１０１を見なくても、電子時計２００を見るだけで、電子時計２００に発生している問題を知ることができる。
【０１２６】
また、ステップＳ７０３では、時計通知部１１７は、異常の通知だけでなく、異常を検出するために電子時計２００が記憶している各種基準値を修正するための修正データを送信しても良い。該各種基準値とは、例えば、バッテリレベルの値の基準値、発電レベルの基準値、針ずれを検知するセンサの基準値等である。例えば、現在の該各種基準値では、異常通知が頻繁に行われる場合には、ステップＳ７０３で該各種基準値を修正する修正データを送信することにより、異常通知の頻度を下げることができる。
【０１２７】
以上で、実施形態の説明を終了するが、上記実施形態は一例に過ぎないので、情報通知システム１０００，１００１の構成及び処理の内容等は上記実施形態で説明したものに限られない。例えば、ガイダンス表示で表示されるメッセージは適宜変更しても良い。また、ログ記憶部１２１、時計ログ記憶部２２１及び時計毎ログ記憶部３２１に記憶されるログデータの記憶時間間隔については、上述した値並びに図３、図５及び図７に記載された値はあくまでも例示であり、適宜変更可能である。また、ログデータとして、電子時計２００の時報機能の使用有無、アラーム機能の使用有無、アラーム使用時のアラーム音の出力時間、ライト点灯の時刻及び点灯時間、ストップウォッチ機能の使用有無、等を記録しても良い。そして、これらのログデータを使用して、ユーザの使用傾向をさらに細かく分析する処理を、情報通知処理の各種判定処理に反映させてもよい。このようにすることによって、ユーザに情報を通知する際のガイダンス表示の情報をさらに詳しくしたり、わかりやすくしたりすることができる。また、情報通知システム１０００，１００１は、電子時計２００の代わりに、電池駆動式の任意の装置を備えてもよい。この場合も、スマートフォン１００，１０１が当該装置に関する充電ガイダンス等を表示することができる他、当該装置の機能に応じてログデータ及びガイダンス表示を変更することができる。
【０１２８】
また、上記の実施形態では、制御部１１０，２１０，３１０が、ＣＰＵによって制御動作を行う例を説明した。しかし、制御動作は、ＣＰＵによるソフトウェア制御に限られるものではない。制御動作の一部又は全部が専用のワイヤードロジック等のハードウェア構成を用いてなされても良い。また、制御部１１０，２１０，３１０は、それぞれ単一のＣＰＵにより、上述した機能的構成の各部として動作しても良いし、複数のＣＰＵによって機能的構成の各部の動作が行われても良い。
【０１２９】
また、上記の実施形態では、制御部１１０，２１０，３１０が実行するプログラムが、記憶部１２０，２２０，３２０のＲＯＭに予め記憶されているものとして説明した。しかし、プログラムを、ＵＳＢ（Ｕｎｉｖｅｒｓａｌ  Ｓｅｒｉａｌ  Ｂｕｓ）メモリ、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｃ）及びＭＯ（Ｍａｇｎｅｔｏ−Ｏｐｔｉｃａｌ  Ｄｉｓｃ）等のコンピュータ読み取り可能な記録媒体に格納して配布し、そのプログラムをコンピュータに読み込んでインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、又はＯＳとアプリケーションとの協同により実現する場合等には、ＯＳ以外の部分のみを記録媒体に格納してもよい。
【０１３０】
さらに、搬送波に各プログラムを重畳し、通信ネットワークを介して配信することも可能である。例えば、通信ネットワーク上の掲示板（ＢＢＳ，Ｂｕｌｌｅｔｉｎ  Ｂｏａｒｄ  Ｓｙｓｔｅｍ）等に当該プログラムをアップロードし、ネットワークを介して当該プログラムをダウンロード可能にしてもよい。そして、スマートフォン１００，１０１、電子時計２００及びサーバ３００は、これらのプログラムをダウンロードして起動し、ＯＳの制御下で、他のアプリケーションプログラムと同様に実行することにより、上述の処理を実行できるように構成してもよい。
【０１３１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【０１３２】
（付記１）
時刻表示装置と無線通信する通信部と、表示部と、を備える情報通知装置の情報通知方法であって、
前記通信部により前記時刻表示装置から前記時刻表示装置のログデータを取得するログ取得ステップと、
前記ログ取得ステップで取得したログデータに基づいて前記時刻表示装置の使用状況を判定する判定ステップと、
前記判定ステップで判定した前記時刻表示装置の使用状況に応じた情報を前記表示部から通知する通知ステップと、
を含むことを特徴とする情報通知方法。
【０１３３】
（付記２）
前記判定ステップで、状況判定基準期間中継続して前記時刻表示装置の電池の電圧が電圧基準値未満であるか否かを判定し、
前記状況判定基準期間中継続して前記時刻表示装置の電池の電圧が前記電圧基準値未満である場合に、前記通知ステップで、第１の通知を前記表示部から通知する、
ことを特徴とする付記１に記載の情報通知方法。
【０１３４】
（付記３）
前記判定ステップで、前記通知ステップで前記第１の通知を前記表示部から通知した後、さらに状況判定基準期間中継続して前記時刻表示装置の電池の電圧が前記電圧基準値未満であるか否かを判定し、
前記通知ステップで前記第１の通知を前記表示部から通知した後さらに状況判定基準期間中継続して前記時刻表示装置の電池の電圧が電圧基準値未満である場合に、前記通知ステップで、第２の通知を前記表示部から通知する、
ことを特徴とする付記２に記載の情報通知方法。
【０１３５】
（付記４）
前記判定ステップで、状況判定基準期間中継続して前記時刻表示装置のソーラーセルの発電量が正常発電基準値未満であるか否かを判定し、
前記状況判定基準期間中継続して前記時刻表示装置のソーラーセルの発電量が前記正常発電基準値未満である場合に、前記通知ステップで、第１の通知を前記表示部から通知する、
ことを特徴とする付記１から３のいずれか１つに記載の情報通知方法。
【０１３６】
（付記５）
前記判定ステップで、前記通知ステップで前記第１の通知を前記表示部から通知した後、さらに前記状況判定基準期間中継続して前記時刻表示装置のソーラーセルの発電量が前記正常発電基準値未満であるか否かを判定し、
前記通知ステップで前記第１の通知を前記表示部から通知した後さらに前記状況判定基準期間中継続して前記時刻表示装置のソーラーセルの発電量が前記正常発電基準値未満である場合に、前記通知ステップで、第３の通知を前記表示部から通知する、
ことを特徴とする付記４に記載の情報通知方法。
【０１３７】
（付記６）
前記判定ステップで、針補正判定期間のうち針補正基準日以上、前記時刻表示装置で針位置の自動補正が行われたか否かを判定し、
前記針補正判定期間のうち前記針補正基準日以上、前記時刻表示装置で針位置の前記自動補正が行われた場合に、前記通知ステップで、第４の通知を前記表示部から通知する、
ことを特徴とする付記１から５のいずれか１つに記載の情報通知方法。
【０１３８】
（付記７）
前記判定ステップで、前記時刻表示装置の時刻修正処理において時刻修正に成功していない日が時刻修正基準日数以上続いているか否かを判定し、
前記時刻修正に成功していない日が前記時刻修正基準日数以上続いている場合に、前記通知ステップで、第５の通知を前記表示部から通知する、
ことを特徴とする付記１から６のいずれか１つに記載の情報通知方法。
【０１３９】
（付記８）
前記判定ステップで判定した前記時刻表示装置の使用状況に応じた情報を前記時刻表示装置に通知する時刻表示装置通知ステップを含む、
ことを特徴とする付記１から７のいずれか１つに記載の情報通知方法。
【０１４０】
（付記９）
時刻表示装置と無線通信する通信部と、
制御部と、
表示部と、
を備え、
前記制御部は、
前記通信部により前記時刻表示装置から前記時刻表示装置のログデータを取得し、
前記取得したログデータに基づいて前記時刻表示装置の使用状況を判定し、
前記判定した前記時刻表示装置の使用状況に応じた情報を前記表示部から通知する、
情報通知装置。
【０１４１】
（付記１０）
時刻表示装置と無線通信する通信部と、表示部と、を備える情報通知装置のコンピュータに、
前記通信部により前記時刻表示装置から前記時刻表示装置のログデータを取得するログ取得ステップ、
前記ログ取得ステップで取得したログデータに基づいて前記時刻表示装置の使用状況を判定する判定ステップ、及び、
前記判定ステップで判定した前記時刻表示装置の使用状況に応じた情報を前記表示部から通知する通知ステップ、
を実行させるためのプログラム。
【符号の説明】
【０１４２】
１００，１０１…スマートフォン、１１０，２１０，３１０…制御部、１１１…ログ取得部、１１２…判定部、１１３…情報通知部、１１４…ログ送信部、１１５…日時計時部、１１６…日時送信部、１１７…時計通知部、１２０，２２０，３２０…記憶部、１２１…ログ記憶部、１３１…表示部、１３２…操作部、１３３…第１通信部、１３４…第２通信部、２００…電子時計、２１１…時計ログ記録部、２１２…時計ログ送信部、２１３…時刻修正部、２１４…針位置補正部、２２１…時計ログ記憶部、２３１…時刻表示部、２３２…時計操作部、２３３…近距離通信部、２３４…ＧＰＳ受信部、２３５…標準電波受信部、２４１…計時部、２４２…針位置監視部、２４３…電池、２４４…電圧計測部、２４５…ソーラーセル、２４６…発電量計測部、３００…サーバ、３１１…時計毎ログ取得部、３１２…時計毎判定部、３２１…時計毎ログ記憶部、３３１…出力部、３３２…入力部、３３３…通信部、４００…ネットワーク、１０００，１００１…情報通知システム、ＢＬ…バスライン
【図１】
2020074633.tif 000003
【図２】
2020074633.tif 000004
【図３】
2020074633.tif 000005
【図４】
2020074633.tif 000006
【図５】
2020074633.tif 000007
【図６】
2020074633.tif 000008
【図７】
2020074633.tif 000009
【図８】
2020074633.tif 000010
【図９】
2020074633.tif 000011
【図１０】
2020074633.tif 000012
【図１１】
2020074633.tif 000013
【図１２】
2020074633.tif 000014
【図１３】
2020074633.tif 000015
【図１４】
2020074633.tif 000016
【図１５】
2020074633.tif 000017
【図１６】
2020074633.tif 000018
【図１７】
2020074633.tif 000019
【図１８】
2020074633.tif 000020
【図１９】
2020074633.tif 000021
【図２０】
2020074633.tif 000022
【図２１】
2020074633.tif 000023
【図２２】
2020074633.tif 000024
【図２３】
2020074633.tif 000025
【図２４】
2020074633.tif 000026
【手続補正書】
【提出日】令和2年2月19日(2020.2.19)
【手続補正１】
【補正対象書類名】明細書
【補正対象項目名】０００６
【補正方法】変更
【補正の内容】
【０００６】
上記目的を達成するため、本発明に係る情報通知方法は、
時刻表示装置と無線通信する通信部を備える情報通知装置の情報通知方法であって、
前記通信部により前記時刻表示装置から前記時刻表示装置のログデータを取得するログ取得ステップと、
前記ログ取得ステップで取得したログデータに基づいて前記時刻表示装置の使用状況が所定状況であるか否かを判定する判定ステップと、
前記判定ステップで前記時刻表示装置の使用状況が前記所定状況であると判定したら、前記時刻表示装置の使用状況が前記所定状況であることを示す第１報知情報を通知する通知ステップと、
を含み、
前記判定ステップで、前記通知ステップで前記第１報知情報を通知した後、さらに状況判定基準期間中継続して前記時刻表示装置の使用状況が前記所定状況であるか否かを判定し、
前記通知ステップで前記第１報知情報を通知した後さらに状況判定基準期間中継続して前記時刻表示装置の使用状況が前記所定状況であると判定した場合に、前記通知ステップで、前記第１報知情報とは異なる第２報知情報を通知する、
ことを特徴とする。
【手続補正２】
【補正対象書類名】特許請求の範囲
【補正対象項目名】全文
【補正方法】変更
【補正の内容】
【特許請求の範囲】
【請求項１】
時刻表示装置と無線通信する通信部を備える情報通知装置の情報通知方法であって、
前記通信部により前記時刻表示装置から前記時刻表示装置のログデータを取得するログ取得ステップと、
前記ログ取得ステップで取得したログデータに基づいて前記時刻表示装置の使用状況が所定状況であるか否かを判定する判定ステップと、
前記判定ステップで前記時刻表示装置の使用状況が前記所定状況であると判定したら、前記時刻表示装置の使用状況が前記所定状況であることを示す第１報知情報を通知する通知ステップと、
を含み、
前記判定ステップで、前記通知ステップで前記第１報知情報を通知した後、さらに状況判定基準期間中継続して前記時刻表示装置の使用状況が前記所定状況であるか否かを判定し、
前記通知ステップで前記第１報知情報を通知した後さらに状況判定基準期間中継続して前記時刻表示装置の使用状況が前記所定状況であると判定した場合に、前記通知ステップで、前記第１報知情報とは異なる第２報知情報を通知する、
ことを特徴とする情報通知方法。
【請求項２】
前記第２報知情報は、サポートセンターに係る情報を含む情報である、
ことを特徴とする請求項１に記載の情報通知方法。
【請求項３】
前記第１報知情報は、前記時刻表示装置の使用状況を前記所定状況から変化させるためのガイダンス情報を含む情報である、
ことを特徴とする請求項１又は２に記載の情報通知方法。
【請求項４】
前記判定ステップで、状況判定基準期間中継続して前記時刻表示装置の電池の電圧が電圧基準値未満であるか否かを判定し、
前記状況判定基準期間中継続して前記時刻表示装置の電池の電圧が前記電圧基準値未満である場合に、前記通知ステップで、前記第１報知情報として第１の通知を通知する、
ことを特徴とする請求項１から３のいずれか１項に記載の情報通知方法。
【請求項５】
前記判定ステップで、前記通知ステップで前記第１の通知を通知した後、さらに状況判定基準期間中継続して前記時刻表示装置の電池の電圧が前記電圧基準値未満であるか否かを判定し、
前記通知ステップで前記第１の通知を通知した後さらに状況判定基準期間中継続して前記時刻表示装置の電池の電圧が電圧基準値未満である場合に、前記通知ステップで、前記第２報知情報として第２の通知を通知する、
ことを特徴とする請求項４に記載の情報通知方法。
【請求項６】
前記判定ステップで、状況判定基準期間中継続して前記時刻表示装置のソーラーセルの発電量が正常発電基準値未満であるか否かを判定し、
前記状況判定基準期間中継続して前記時刻表示装置のソーラーセルの発電量が前記正常発電基準値未満である場合に、前記通知ステップで、前記第１報知情報として第１の通知を通知する、
ことを特徴とする請求項１から５のいずれか１項に記載の情報通知方法。
【請求項７】
前記判定ステップで、前記通知ステップで前記第１の通知を通知した後、さらに前記状況判定基準期間中継続して前記時刻表示装置のソーラーセルの発電量が前記正常発電基準値未満であるか否かを判定し、
前記通知ステップで前記第１の通知を通知した後さらに前記状況判定基準期間中継続して前記時刻表示装置のソーラーセルの発電量が前記正常発電基準値未満である場合に、前記通知ステップで、前記第２報知情報として第３の通知を通知する、
ことを特徴とする請求項６に記載の情報通知方法。
【請求項８】
前記判定ステップで、針補正判定期間のうち針補正基準日以上、前記時刻表示装置で針位置の自動補正が行われたか否かを判定し、
前記針補正判定期間のうち前記針補正基準日以上、前記時刻表示装置で針位置の前記自動補正が行われた場合に、前記通知ステップで、前記第１報知情報として第４の通知を通知する、
ことを特徴とする請求項１から７のいずれか１項に記載の情報通知方法。
【請求項９】
前記判定ステップで、前記時刻表示装置の時刻修正処理において時刻修正に成功していない日が時刻修正基準日数以上続いているか否かを判定し、
前記時刻修正に成功していない日が前記時刻修正基準日数以上続いている場合に、前記通知ステップで、前記第１報知情報として第５の通知を通知する、
ことを特徴とする請求項１から８のいずれか１項に記載の情報通知方法。
【請求項１０】
前記判定ステップで判定した前記時刻表示装置の使用状況が所定状況であるか否かに応じた情報を前記時刻表示装置に通知する時刻表示装置通知ステップを含む、
ことを特徴とする請求項１から９のいずれか１項に記載の情報通知方法。
【請求項１１】
時刻表示装置と無線通信する通信部と、
制御部と、
を備え、
前記制御部は、
前記通信部により前記時刻表示装置から前記時刻表示装置のログデータを取得し、
前記取得したログデータに基づいて前記時刻表示装置の使用状況が所定状況であるか否かを判定し、
前記判定において前記時刻表示装置の使用状況が前記所定状況であると判定したら、前記時刻表示装置の使用状況が前記所定状況であることを示す第１報知情報を通知し、
前記制御部はさらに、
前記第１報知情報を通知した後さらに状況判定基準期間中継続して前記時刻表示装置の使用状況が前記所定状況であるか否かを判定し、
前記第１報知情報を通知した後さらに状況判定基準期間中継続して前記時刻表示装置の使用状況が前記所定状況であると判定した場合に、前記第１報知情報とは異なる第２報知情報を通知する、
ことを特徴とする情報通知装置。
【請求項１２】
時刻表示装置と無線通信する通信部を備える情報通知装置のコンピュータに、
前記通信部により前記時刻表示装置から前記時刻表示装置のログデータを取得するログ取得ステップ、
前記ログ取得ステップで取得したログデータに基づいて前記時刻表示装置の使用状況が所定状況であるか否かを判定する判定ステップ、及び、
前記判定ステップで前記時刻表示装置の使用状況が前記所定状況であると判定したら、前記時刻表示装置の使用状況が前記所定状況であることを示す第１報知情報を通知する通知ステップ、
を実行させ、
前記判定ステップで、前記通知ステップで前記第１報知情報を通知した後、さらに状況判定基準期間中継続して前記時刻表示装置の使用状況が前記所定状況であるか否かを判定し、
前記通知ステップで前記第１報知情報を通知した後さらに状況判定基準期間中継続して前記時刻表示装置の使用状況が前記所定状況であると判定した場合に、前記通知ステップで、前記第１報知情報とは異なる第２報知情報を通知する、
ためのプログラム。